(57)【要約】      （修正有）【課題】無線伝送機能付き電気スタンドを提供する。【解決手段】支持アーム３、シェード部１、台座３６を備え、台座３６内に、電子回路基板２５と、電子回路基板に接続されるスピーカー１４、スクリーン２０、ハードディスクドライブ３０と光ディスクドライブ２９が配置される。台座の上には機能孔が設けられ、電子回路基板には少なくとも、ＵＳＢコネクタ１７〜１９などが機能孔に対応して配置される。無線アンテナ９は電子回路基板に接続し、台座の筺体４の外部に設置される。【選択図】図１
0003180009.tif 000002
【実用新案登録請求の範囲】
【請求項１】
支持アーム、
支持アームの片側に接続しているシェード部、
筐体と底板を備えてなる台座が備わっており、該筐体は底板の上を蓋し、底板と筐体との間に電子回路基板、スクリーン、光ディスクドライブ、ハードディスクドライブとスピーカーを組み立てるための予備スペースが設けられ、筐体の表面には、該予備スペース及び内部の設備に対応するための開口、及び少なくとも一つの機能孔が設けられており、
筐体の内部に組み立てられた電子回路基板に接続し、筐体の対応開口に対応するように設けられ、多機能デジタル設備から提供される各機能を制御、各設備の稼動状況を表示するためのスクリーン、
筐体内に組み立てられた電子回路基板に接続し、多機能デジタル設備のオーディオ再生機能を果たすためのスピーカー、
筐体の予備スペース内に設けられる電子回路基板が備わり、該電子回路基板には少なくとも、電気的構成の一電気的接続装置が配置され、該電気的接続装置は、該機能孔に対応し、該マルチメディアデジタル設備の内部装置の機能を働かせるように設けられており、
電子回路基板に電気的に接続する光ディスクドライブが備わり、該光ディスクドライブは、筐体の予備スペース内にあり、筐体の開口に対応し、光ディスクドライブの機能操作を行うように設けられており、
電子回路基板に電気的に接続する無線アンテナが備わり、該無線アンテナは、筐体の対応する機能孔にあり、しかも、筐体の外部に配置され、無線信号の送信と受信を行うように設けられており、
電子回路基板に電気的に接続するハードディスクドライブが備わり、該ハードディスクドライブは、筐体の予備スペース内にあり、外掛け装置との資料交換を行うように設けられており、
筐体の予備スペース内に配置され、無線充電機能を持つ通信設備、デジタル製品への充電を行うための無線充電板が備わっていることを特徴とする無線伝送機能付き電気スタンド。
【請求項２】
電気的接続装置には少なくとも、電源コネクタ、ＵＳＢコネクタ、無線信号通信コネクタ、オーディオ入出力インターフェース、カードコネクタ及びその組合せのいずれかの一つが含まれていることを特徴とする請求項１に記載の無線伝送機能付き電気スタンド。
【請求項３】
電子回路基板には更に、該筐体の予備スペース内に配置され、該電子回路基板に電気的に接続し、発光源を制御するための機能プレス板が備わっていることを特徴とする請求項１に記載の無線伝送機能付き電気スタンド。
【請求項４】
シェード部は更に、発光ユニットを備えてなり、該発光ユニットは、該シェードの筐体に向かっている側に設けられていることを特徴とする請求項１に記載の無線伝送機能付き電気スタンド。
【請求項５】
更に、該筐体の予備スペース内に設けられ、開口部より筐体外に露出されているスクリーンが備わっていることを特徴とする請求項１に記載の無線伝送機能付き電気スタンド。
【請求項６】
また更に、該電子回路基板に電気的に接続しているスピーカーと調節スイッチが備わり、それに、該筐体の上には、該筐体の予備スペースを通っているスピーカー穴と機能孔が設けられており、該スピーカーと調節スイッチはそれぞれ、該台座の予備スペース内に設けられ、該スピーカーは該スピーカー穴に、該調節スイッチは、その中の一機能孔に対応し、機能孔より、該筐体外に露出していることを特徴とする請求項１に記載の無線伝送機能付き電気スタンド。
【請求項７】
支持アームは、棒体、及びそれぞれ対向して、棒体の両端にあるジョイントを備えてなり、該シェード部は、一端のジョイントに接続し、棒体をシャフトとして、第一方向に沿って回転を繰り返せるように設けられ、それに、該シェード部と該筐体は第一方向に対して垂直に配置される第二方向に沿って回転を繰り返せるように設けられていることを特徴とする請求項１に記載の無線伝送機能付き電気スタンド。
【請求項８】
更に、無線アンテナが備わっており、該無線アンテナは、該筐体の該無線アンテナに対応する機能孔にあり、該機能孔より筐体外に露出していることを特徴とする請求項１に記載の無線伝送機能付き電気スタンド。
【請求項９】
また更に、光ディスクドライブ設備が備わっており、該光ディスクドライブは、電子回路基板に電気的に接続し、筐体の予備スペース内に設けられ、それに、該筐体の開口より筐体外に露出していることを特徴とする請求項１に記載の無線伝送機能付き電気スタンド。
【請求項１０】
底板、
該底板の上を蓋し、該底板との間に予備スペースが設けられている筐体が備わり、該筐体の表面には、該予備スペースに通じる開口、及び少なくとも一つの機能孔があり、
該台座の予備スペース内に設けられる電子回路基板が備わり、該電子回路基板には少なくとも、電気的構成の一電気的接続装置が配置され、該電気的接続装置は、該機能孔に対応しているが、
電子回路基板に電気的に接続する光ディスクドライブが備わり、該光ディスクドライブは、筐体の予備スペース内にあり、筐体の開口に対応しており、
該筐体の予備スペース内に設けられ、開口部より筐体外に露出されているスクリーン、
該筐体の無線アンテナに対応する機能孔にあり、該機能孔より筐体外に露出している無線アンテナ、
電子回路基板に電気的に接続し、筐体の予備スペース内に設けられているハードディスクドライブ、
該筐体内の予備スペース内に設けられる無線充電板，部が備わっていることを特徴とする無線伝送機能付き電気スタンド。
【請求項１１】
電気的接続装置には少なくとも、電源コネクタ、ＵＳＢコネクタ、無線信号通信コネクタ、オーディオ入出力インターフェース、カードコネクタ及びその組合せのいずれかの一つが含まれていることを特徴とする請求項１０に記載の無線伝送機能付き電気スタンド。
【請求項１２】
底板には更に、底部に設けられる滑止めパッドが備わっていることを特徴とする請求項１０に記載の無線伝送機能付き電気スタンド。
【考案の詳細な説明】
【技術分野】
【０００１】
本考案は、照明装置に関わり、特に無線伝送機能付き電気スタンドに関する。
【背景技術】
【０００２】
科学技術の発展に伴い、照明装置の種類も益々多様化し、伝統的な蛍光灯、タングステン電球から次第に現在の発光ダイオード（Ｌｉｇｈｔ  Ｅｍｉｔｔｉｎｇ  Ｄｉｏｄｅ，ＬＥＤ）の照明器具へと発展してきたが、その中、電気スタンドは、日常生活でよく使用されている照明器具の一つで、家庭や事務所での机や卓上などの作業テーブルに置かれ、十分な光源を提供して、仕事や勉強などの効率を高めるよう利用されている。しかし、一般的な電気スタンドは単なる照明機能を持つもので、作業テーブルに一定のスペースがかかるものである。
それに、コンピューター産や及無線伝送産業がスピーディに発展し、多くの使用者が、コンピューター及びその周辺機器を利用しているため、作業テーブルには、電気スタンドのほかに、コンピューター周辺機器、例えば、外掛け光ディスクドライブ（Ｏｕｔｅｒ  Ｏｐｔｉｃａｌ  Ｄｉｓｋ  Ｄｒｉｖｅ、ＯＤＤ）、外掛けハードディスクドライブ（Ｏｕｔｅｒ  Ｈａｒｄ  Ｄｒｉｖｅ）、ハブ（ＨＵＢ）、外掛けスピーカー（Ｓｐｅａｋｅｒ）及カードリーダー（Ｃａｒｄ  Ｒｅａｄｅｒ）などを置くことになることで、このような作業テーブルは、使用者が利用できるスペースが限られ、全体的な使用コストも増えており、単一機能型製品の過多で、資源の浪費にもなり、環境にやさしくないことである。  
そのうえ、コンピューター、タプレットコンピューター、携帯電話、ウルトラコンピューターなどの通信装置、デジタル製品が益々普及化しているなか、使用者がこれらの製品を通じて、情報や通信の交換などを行っているときにも、使用上の利便性をもたらす恐れがある。
【考案の開示】
【考案が解決しようとする課題】
【０００３】
上述の問題点に鑑みて、本考案は、コンピューター周辺機器の内蔵が可能で、一般的な電気スタンドの単なる照明機能を解決するほかに、電気スタンドをコンピューターまたはその周辺機器と同時に使用するとき、オフィスデスクや学習机などの作業テーブルでの利用可能なスペース不足を、更にコンピューター、タブレットコンピューター、携帯電話、ウルトラコンピューターなどの通信装置、デジタル製品の間の通信を行っているときに、使用上の不便さを解決すると同時に、使用者の使用コストや資源の浪費を低減させ、環境にもやさしい無線伝送機能付き電気スタンドを提供する。
【図面の簡単な説明】
【０００４】
【図１】本考案の第一実施形態の局所分解イメージ。
【図２】本考案の第一実施形態の立体イメージ。
【図３】本考案の第一実施形態のもう一つの角度から見た立体イメージ。
【考案を実施するための形態】
【０００５】
次は、本考案の実施形態について、図面を参照して更に詳しく説明する。図１に示すように、本考案は、無線伝送機能付き電気スタンドを提供するが、該電気スタンドの構造は少なくとも、支持アーム（３）。シェード部（１）、台座（３６）を備えてなり、その中、
棒体、及びそれぞれ対向して、棒体の両端にあるジョイント（２）を備えてなる支持アーム（３）が備わり、一端のジョイント（２）はシェード部（１）に、他端のジョイント（２）は台座（３６）と筐体（４）に接続しており、該シェード部（１）は、ジョイント（２）に接続し、棒体をシャフトとして、第一方向に沿って回転を繰り返せるように設けられ、それに、該シェード部（１）と該筐体（４）は該第一方向に対して垂直に配置される第二方向に沿って回転を繰り返せるように設けられており、
該支持アーム（３）の一端に接続し、発光ユニットを備えてなるシェード部（１）が備わっており、該発光ユニットは、該シェード部（１）の筐体（４）に向かっている側に設けられているが、
上蓋の形態になる筐体（４）と底板（３１）を備えてなる台座（３６）が備わり、該筐体（４）は底板（３１）の上を蓋し、該底板（３１）と筐体（４）との間には、電子回路基板（２５）、スクリーン（２０）、光ディスクドライブ（２９）、ハードディスクドライブ（３０）とスピーカー（１４）を組み立てるための一定の予備スペース（３７）が設けられ、該筐体（４）の表面には、上述したスペース及びその内部装置とが対応する開口、例えば、スクリーン用開口（１１）、光ディスクドライブ用開口（３３）、及び少なくとも一つの機能孔、例えば、オーディオ入力、出力差込口（５）、ＵＳＢポート（６）、コンピュータを接続するインターフェースＵＳＢ接続口（７）、電源差込口（８）、通信設備、デジタル製品充電用差込口（１０）、外掛け装置のオーディオ入力差込口（１２）、無線アンテナ接続口（１３）が設けられており、
筐体の内部に組み立てられた電子回路基板（２５）に接続し、該筐体（４）のスクリーン用開口（１１）に対応するように設けられ、多機能デジタル設備から提供される各機能を制御、各設備の稼動状況を表示するための一スクリーン（２０）、
該筐体（４）内に組み立てられた電子回路基板（２５）に接続し、多機能デジタル設備のオーディオ再生機能を果たすためのスピーカー（１４）、
該筐体（４）の予備スペース（３７）内に設けられる電子回路基板（２５）が備わり、該電子回路基板（２５）には少なくとも、電気的構成の一電気的接続装置例えば、ＵＳＢコネクタ（１７）、ＵＳＢコネクタ（コンピュータへ接続）（１８）、電源コネクタ（１９）、メモリーカードコネクタ（２３）が配置され、該電気的接続装置は、上述の各機能孔に対応し、該マルチメディアデジタル設備の内部装置の機能を働かせるように設けられており、該電子回路基板（２５）には更に、オーディオ入力、出力インターフェース（１６）、通信設備、デジタル製品充電インターフェース（２２）、無線アンテナインターフェース（２４）、ブルートゥースモジュール（２６）、ＷＩＦＩモジュール（２７）、外掛けオーディオ入力インターフェース（２８）、スピーカー孔（３４）がそれぞれ、筐体（４）上の機能孔に対応しているが、該電子回路基板（２５）にはまた更に、該筐体（４）の予備スペース内に配置され、該電子回路基板（２５）に電気的に接続し、発光源の明るさ、色温度の調整を制御するための機能プレス板（１５）を備えてなり、
該電子回路基板（２５）に電気的に接続する光ディスクドライブ（２９）が備わり、該光ディスクドライブ（２９）は、該筐体の予備スペース（３７）内にあり、該筐体（４）の光ディスクドライブ用開口（３３）に対応して、光ディスクドライブ（２９）の各機能操作を行うように設けられており、
該電子回路基板（２５）に電気的に接続する無線アンテナ（９）が備わり、該無線アンテナ（９）は、該筐体（４）の無線アンテナ接続口（１３）にあり、しかも、該筐体（４）の外部に配置され、無線信号の送信と受信を行うように設けられており、
該電子回路基板（２５）に電気的に接続するハードディスクドライブ（３０）が備わり、該ハードディスクドライブ（３０）は、該筐体の予備スペース（３７）内にあり、外掛け装置との資料交換を行うように設けられており、
該筐体（４）内の予備スペース（３７）内に配置され、無線充電機能を持つ通信設備、デジタル製品への充電を行うための無線充電板（３８）が備わっていることを特徴とする。
【０００６】
上述した各部品の組み立てについて、  図１、図２を参照して次のように説明する。
１．  電子回路基板（２５）を電気スタンドの台座（３６）内での所定位置に置いたあと、ネジで締め付け、
２．  スピーカー（１４）を電気スタンドの台座（３６）の音声出力口（３４）に対応した位置に置いたあと、ネジで締め付け、
３．  機能プレス板（１５）を電気スタンドの台座（３６）のプレス開口に対応するように置いたあと、ネジで締め付け、
４．  光ディスクドライブ（２９）を電気スタンドの台座（３６）の光ディスクドライブ用開口（３３）に対応した位置にスライド移動したあと、ネジで締め付け、
５．  スクリーン（２０）を台座（３６）のスクリーンに対応したスクリーン用開口（１１）に置いたあと、ネジで締め付け、
６．  ハードディスクドライブ（３０）とハードディスクドライブトレートレー（２１）をネジで締め付けたあと、台座（３６）でのハードディスクドライブ取り付け位置に置いて、ネジで締め付け、
７．  通信設備、デジタル製品充電インターフェース（２２）を、台座（３６）の通信設備、デジタル製品充電用差込口（１０）に対応した位置の外部から台座（３６）内へスライド移動させ、固定するが、
８．  無線充電板（３８）を電気スタンドの台座（３６）での取付位置に置いたあと、ネジで締め付け、
９．  台座（３６）内での部品組立を終えたあと、データや配線の接続を行うが、配線工事を終え、接続ミスなどがないと確認したあと、底板（３１）を、電気スタンドの台座（３６）の上に取り付け、ネジで締め付けるが、底板（３１）は、電気スタンドの台座（３６）内の部品を、ダメージから守り、電気スタンドの重心を低くする効果があるが、
１０．  上述の操作を終えたあと、無線アンテナ（９）を台座（３６）の無線アンテナインターフェース（２４）へ差し込むが、
１１．  最後は、滑止めパッド（３２）を底板（３１）に貼り付け、これでそれで、取付終了、図２に示すように、完全な無線伝送機能付き電気スタンドが完成。  
【０００７】
本考案の多機能デジタル電気スタンドは使用上、以下のように、二つのモードに分かれて使用される。
（１）単独使用の場合
本考案の電気スタンドは、電源を単独に供給することを使用し、コンピューター製品と接続せずに、単独使用も可能であり、電源アダプタから出力された電流が、電源コネクタ（１９）を経て、電気スタンド発光ユニット（３５）と台座（３６）内の各部品に電力を供給し、電気スタンド機能プレス板（１５）が、マルチメディアデジタル電気スタンドの光源、オーディオ再生、ＦＭラジオ放送、日付表示、アラーム、資料交換などの機能を制御しているが、台座（３６）の無線充電板（３８）が無線充電機能を通信設備、デジタル製品に対して無線充電を行うことになっているため、次のような機能を実現できるが、提供する機能は、次に掲示した機能に限らないものである。  
１．オーディオ再生機能：無線伝送機能付き電気スタンドの台座（３６）にあるＵＳＢコネクタ（１７）、メモリーカードコネクタ（２３）、及びブルートゥース、ＷＩＦＩ接続の外掛け装置は、直接に、台座（３６）のスピーカー（１４）を通じて、外掛け装置内に保存されているオーディオファイルのほかに、光ディスクドライブ（２９）、内蔵ハードディスクドライブ（３０）内に保存されているオーディオファイルを再生することができるが、それに、外掛けスピーカー、イヤホン、受話器を台座（３６）のオーディオ入力、出力インターフェース（１６）へ差し込んで、オーディオの入力や出力も可能になり、更に、外掛けオーディオ装置を、台座（３６）のオーディオ入力インターフェース（１２）へ差し込んで、スピーカー（１４）を通じて、オーディオも再生できるが、そのうえ、ブルートゥース、ＷＩＦＩモジュール（２６、２７）と外掛けブルートゥース、ＷＩＦＩスピーカーを接続して、外掛けスピーカーで、オーディオの再生を行うこともできる。
２．資料伝送機能：無線伝送機能付き電気スタンドの台座（３６）にあるＵＳＢコネクタ（１７）、メモリーカードコネクタ（２３）、ブルートゥースモジュール（２６）、ＷＩＦＩモジュール（２７）などを、外掛け通信設備、デジタル製品やＩＴ製品と接続して、資料の交換などが行われる。
３．光源発光機能：無線伝送機能付き電気スタンドの台座（３６）にある機能プレス板（１５）、スクリーン（２０）を利用して、使用者が発光源の明るさ、色温度の調節や確認を行い、使用環境に応じて、使用者の目を守り、よい作業環境を確保することもできる。  
４．ＦＭラジオ放送、日付表示、アラーム、温湿度などの表示や調節機能があり、台座（３６）の機能プレス板（１５）とスクリーン（２０）を利用して、使用者が該機能操作を行うことができる。
５．無線充電機能：台座（３６）の無線充電板（３８）付きで、無線充電機能を持つ通信設備、デジタル製品を、台座（３６）の無線充電板（３８）の上方に置き、無線充電スイッチを押すと、通信設備、デジタル製品への無線充電が行われる。
【０００８】
（２）コンピューターに接続して使用する場合
本考案の電気スタンドは、電源を単独に供給することを使用し、電源アダプタから出力された電流が、電源コネクタ（１９）を経て、電気スタンド発光ユニット（３５）と台座（３６）内の各部品に電力を供給しているため、ＵＳＢコネクタをコンピューターに接続しているだけで、コンピューターから十分な電力を供給できない問題点を解決できること、ＵＳＢコネクタで、多機能デジタル電気スタンドをコンピューターに接続した場合、多機能デジタル電気スタンドはコンピューター周邊機器の一部として利用できるが、上述した単独使用の場合で触れた各機能のほかに、多機能デジタル電気スタンドがコンピューター周辺機器として、コンピューター外掛けモバイル設備のような機能を持っており、多機能デジタル電気スタンドを通じて、有線連接装置と無線装置を接続して、他の外掛け装置との資料や情報交換などを行うことができる。次のような機能を実現できるが、提供する機能は、次に掲示した機能に限らないものである。
１．資料・情報交換機能  無線伝送機能付き電気スタンドの台座（３６）にある光ディスクドライブ（２９）、メモリーカードコネクタ（２３）、ハードディスクドライブ（３０）、ＵＳＢコネクタ（１７）、及び台座（３６）のブルートゥース、ＷＩＦＩ７モジュール（２６、２７）などは、コンピューターとの資料・情報交換のインターフェースとして利用可能で、台座（３６）に配置されている種々のインターフェースを、コンピューターへ接続、操作して、コンピューターと外掛け装置との資料・情報交換機能を行うことができる。
２．オーディオ入出力機能  無線伝送機能付き電気スタンドのスピーカー（１４）とオーディオ入力、出力インターフェース（１６）は、ＵＳＢコネクタを通じて、多機能デジタル電気スタンドをコンピューターへ接続して、コンピューターのオーディオ入力、出力インターフェースとして利用可能であり、無線伝送機能付き電気スタンドのスピーカー（１４）から、外掛け装置のオーディオファイルとコンピューター内のオーディオファイルを同時に再生するというような状況が起こらないように、該台座（３６）の機能プレス板（１５）には、無線伝送機能付き電気スタンドのオーディオファイル自動再生を無効化するボタンが配置され、多機能デジタル電気スタンドの自動再生機能の回路を切断するのに用いられるが、それで、コンピューター内だけのオーディオファイルの音楽を聴くことができる。
【０００９】
上述をまとめると、本考案の“無線伝送機能付き電気スタンド”は単独使用が可能で、机の上に置くほかに、現在のデスクトップパソコン、ノートパソコン、タプレットパソコン、ウルトラパソコン、スマートフォーン、無線通信設備やデジタルと共に利用できるものである。
上述した内容に基づき、本考案に掲示した無線伝送機能付き電気スタンドは、照明機能のほかに、コンピューター周辺機器として利用できる特徴を有するもので、使用者が作業テーブルにデジタル電気スタンドを置くだけで、使用上のニーズを同時に満たされることが可能であり、メモリーカードコネクタ、外掛け式光ディスクドライブまたはハブなどのコンピューター周辺機器を作業テーブルに置く必要もなく、多機能デジタル電気スタンドは作業テーブルに置くだけで、あまりスペースもかからず、作業テーブルでの使用者の利用可能なスペースが増えると同時に、外掛け式電子装置を直接に、作業テーブルに置かれている多機能デジタル電気スタンドに差し込み、そして、多機能デジタル電気スタンドが作業テーブルの下にあるコンピューターに電気的に接続し、または作業テーブル上で、直接に、光ディスクドライブの操作を行うこともできるので、使用上の利便性もよく、使用者の全体的な使用コストや資源の浪費も低減するので、環境保全の活動を推進している現在の製品作りの理念に一致しているものである。
【符号の説明】
【００１０】
シェード部        （１）
ジョイント        （２）
支持アーム        （３）
筐体              （４）
オーディオ入力、出力差込口（５）
ＵＳＢポート      （６）
コンピュータを接続するインターフェースＵＳＢ接続口（７）
電源差込口        （８）
無線アンテナ      （９）
通信設備、デジタル製品充電用差込口（１０）
スクリーン用開口  （１１）
外掛け装置のオーディオ入力差込口（１２）
無線アンテナ接続口（１３）
スピーカー        （１４）
機能プレス板      （１５）
オーディオ入力、出力インターフェース（１６）
ＵＳＢコネクタ    （１７）
ＵＳＢコネクタ（コンピュータへ接続）（１８）
電源コネクタ      （１９）
スクリーン      （２０）
ハードディスクドライブトレー（２１）
通信設備、デジタル製品充電インターフェース（２２）
メモリーカードコネクタ（２３）  
無線アンテナインターフェース（２４）
電子回路基板    （２５）
ブルートゥースモジュール（２６）
ＷＩＦＩモジュール（２７）  
外掛けオーディオ入力インターフェース（２８）
光ディスクドライブ（２９）
ハードディスクドライブ（３０）
底板            （３１）
滑止めパッド    （３２）
光ディスクドライブ用開口（３３）
スピーカー孔    （３４）
発光ユニット    （３５）
台座            （３６）
予備スペース    （３７）
無線充電板      （３８）
【図１】
0003180009.tif 000003
【図２】
0003180009.tif 000004
【図３】
0003180009.tif 000005